(57)【特許請求の範囲】
【請求項１】
最大運転周波数及び最小運転周波数が設定されている室内ユニットと、この室内ユニットに設けられ、前記最大運転周波数と最小運転周波数を送信するとともに空気調和運転に際し前記最大運転周波数から最小運転周波数の間の所要の指令運転周波数を送信する室内制御部と、予め運転周波数範囲が設定されている圧縮機を有する室外ユニットと、この室外ユニットに設けられた室外制御部とを備えると共に、前記室外制御部では、前記室内制御部から送信された前記室内ユニットの最大運転周波数と最小運転周波数を前記圧縮機の運転周波数の最大値と最小値にそれぞれ対応させた場合に、前記室内制御部から送信されてきた指令運転周波数が前記圧縮機の運転周波数範囲で相対的に対応する実運転周波数を算出し、この実運転周波数に読替えて前記圧縮機の運転を行うようにしたことを特徴とする空気調和機。
【請求項２】
圧縮機の運転周波数が、所定周波数間隔でステップ状に変化するものであって、指令運転周波数を読替えた周波数に近似するステップ状運転周波数を実運転周波数として前記圧縮機の運転を行うようにしたことを特徴とする請求項１記載の空気調和機。
【請求項３】
空調能力を示す所定コードと最大運転周波数及び最小運転周波数が設定されている室内ユニットと、この室内ユニットに設けられ、前記最大運転周波数と最小運転周波数を送信するとともに空気調和運転に際し前記最大運転周波数から最小運転周波数の間の所要の指令運転周波数を送信する室内制御部と、圧縮機を有する室外ユニットと、前記コードに対応する前記圧縮機の運転周波数範囲が予め設定されている前記室外ユニットに設けられた室外制御部とを備えると共に、前記室外制御部では、前記室内制御部から送信された前記室内ユニットのコードと最大運転周波数と最小運転周波数をもとに、前記室内ユニットの最大運転周波数と最小運転周波数を前記コードに対応した圧縮機の運転周波数の最大値と最小値にそれぞれ対応させた場合に、前記室内制御部からの空気調和運転に際し送信された指令運転周波数が前記圧縮機の運転周波数範囲で相対的に対応する実運転周波数を算出し、この実運転周波数に読替えて前記圧縮機の運転を行うようにしたことを特徴とする空気調和機。
【請求項４】
室外ユニットの室外制御部が、複数の室内ユニット運転時の圧縮機の固定された運転周波数範囲を有するものであって、前記室外ユニットに対し前記室内ユニットが複数接続されている場合には、前記室外ユニットの室外制御部で、空気調和運転に際し前記室内ユニット毎に読替えた各々の実運転周波数をもとに、前記圧縮機の固定された前記運転周波数範囲の対応する実運転周波数に読替えて前記圧縮機の運転を行うようにしたことを特徴とする請求項３記載の空気調和機。
【発明の詳細な説明】
【０００１】
【発明の属する技術分野】
本発明は、圧縮機の運転周波数を可変にして所定の空気調和運転を行うスプリットタイプの空気調和機に関する。
【０００２】
【従来の技術】
周知の通り、従来のインバータエアコンと称されるスプリットタイプの空気調和機では、空気調和を行う室内に設置された室内ユニットから室外ユニットに対し、設定しようとする室温と実際の室温とに基づく運転指令が送信され、この運転指令によって圧縮機を対応する運転周波数で運転し、実際の室温が設定室温となるようにしている。
【０００３】
そして、その室内ユニットからの運転指令と、これに対応する圧縮機の運転は、次のようなものとなっている。すなわち、ステップコード方式と呼ばれる第１の方式では、予め圧縮機の運転周波数の範囲が１６ステップに分割したものとなっており、室内ユニットが設定室温と実際室温の関係から１６ステップのうちの選択したステップ数、例えばステップ１０が選択されると、これが室外ユニットに送信され、送られたステップ１０に対応する運転周波数で圧縮機は運転される。
【０００４】
また、周波数コード方式と呼ばれる第２の方式では、室内ユニットで設定室温と実際室温の関係から圧縮機の運転周波数が算出され、これが室内ユニットの室内制御部から室外ユニットの室外制御部に運転周波数指令が送信され、直接、室内制御部から指令された運転周波数によって圧縮機が運転される。
【０００５】
しかしながら上記の従来技術では、次のような不具合が生じてくる虞がある。例えば、第１の方式では、予め設定されている圧縮機のステップ数である１６ステップにきざまれた運転周波数の範囲でしか運転周波数の選択ができず、細かい圧縮機の運転制御を行うことができず、良好な室温コントロールを実現することができない。
【０００６】
また、第２の方式では、直接室内ユニットの室内制御部が指令する運転周波数で圧縮機を運転するため、場合によっては室内ユニットの指令に対し室外ユニットが能力的に不整合となってしまう虞がある。このため、適正な運転を行うには、適合性を考慮して両ユニットの組合わせを行わなければならなくなり、室外ユニットに対する室内ユニットの選択幅が狭くなる。
【０００７】
さらに、１つの室外ユニットに対して複数の室内ユニットを接続して複数の部屋の空気調和を行おうとする場合、例えば２部屋の場合には２室用の室内ユニット、３部屋の場合には３室用の室内ユニットというように、接続する室内ユニットの数に応じて運転指令の異なる仕様のものを接続しなければならず、数種類の仕様の室内ユニットを準備しておかなければならなかった。
【０００８】
【発明が解決しようとする課題】
上記のような状況に鑑みて本発明はなされたもので、その目的とするところは圧縮機を細かく運転制御することができて良好な室温コントロールを実現することができ、また、適合性を考慮しなくても室内ユニットと室外ユニットの能力的な不整合が生じず、両ユニットの組合わせが容易である空気調和機を提供することにある。
【０００９】
【課題を解決するための手段】
本発明の空気調和機は、最大運転周波数及び最小運転周波数が設定されている室内ユニットと、この室内ユニットに設けられ、最大運転周波数と最小運転周波数を送信するとともに空気調和運転に際し最大運転周波数から最小運転周波数の間の所要の指令運転周波数を送信する室内制御部と、予め運転周波数範囲が設定されている圧縮機を有する室外ユニットと、この室外ユニットに設けられた室外制御部とを備えると共に、室外制御部では、室内制御部から送信された室内ユニットの最大運転周波数と最小運転周波数を圧縮機の運転周波数の最大値と最小値にそれぞれ対応させた場合に、室内制御部から送信されてきた指令運転周波数が圧縮機の運転周波数範囲で相対的に対応する実運転周波数を算出し、この実運転周波数に読替えて圧縮機の運転を行うようにしたことを特徴とするものであり、
さらに、圧縮機の運転周波数が、所定周波数間隔でステップ状に変化するものであって、指令運転周波数を読替えた周波数に近似するステップ状運転周波数を実運転周波数として圧縮機の運転を行うようにしたことを特徴とするものであり、
また、空調能力を示す所定コードと最大運転周波数及び最小運転周波数が設定されている室内ユニットと、この室内ユニットに設けられ、最大運転周波数と最小運転周波数を送信するとともに空気調和運転に際し最大運転周波数から最小運転周波数の間の所要の指令運転周波数を送信する室内制御部と、圧縮機を有する室外ユニットと、コードに対応する圧縮機の運転周波数範囲が予め設定されている室外ユニットに設けられた室外制御部とを備えると共に、室外制御部では、室内制御部から送信された室内ユニットのコードと最大運転周波数と最小運転周波数をもとに、室内ユニットの最大運転周波数と最小運転周波数をコードに対応した圧縮機の運転周波数の最大値と最小値にそれぞれ対応させた場合に、室内制御部からの空気調和運転に際し送信された指令運転周波数が圧縮機の運転周波数範囲で相対的に対応する実運転周波数を算出し、この実運転周波数に読替えて圧縮機の運転を行うようにしたことを特徴とするものであり、
さらに、室外ユニットの室外制御部が、複数の室内ユニット運転時の圧縮機の固定された運転周波数範囲を有するものであって、室外ユニットに対し室内ユニットが複数接続されている場合には、室外ユニットの室外制御部で、空気調和運転に際し室内ユニット毎に読替えた各々の実運転周波数をもとに、圧縮機の固定された運転周波数範囲の対応する実運転周波数に読替えて圧縮機の運転を行うようにしたことを特徴とするものである。
【００１０】
【発明の実施の形態】
以下本発明の実施の形態を、図面を参照して説明する。
【００１１】
先ず第１の実施形態を図１乃至図３により説明する。図１は概略構成を示す図であり、図２は室内ユニットと室外ユニット間における運転周波数の読替えを説明するために示す図であり、図３は運転制御のフローチャートである。
【００１２】
図１乃至図３において、空気調和機１は、屋外に設置された室外ユニット２と、空気調和を行う部屋に設置された室内ユニット３とで構成され、室外ユニット２に設けられた圧縮機４と図示しない室外熱交換器と、電子膨張弁５、さらに室内ユニット３に設けられた図示しない室内熱交換器とが冷凍サイクルを形成するように接続され、冷媒の流通方向を切替えることで室内ユニット３が設置された部屋の冷房と暖房を行えるようになっている。また室外ユニット２には室外熱交換器の熱交換を促進する室外ファン６が、室内ユニット３には室内熱交換器の熱交換を促進する室内ファン７が設けられている。
【００１３】
一方、両ユニット２，３には、冷凍サイクルの運転を行うために、それぞれに室外制御部８と室内制御部９とが設けられている。すなわち、室外ユニット２に設けられた室外制御部８には、室内制御部９との間で制御信号の送受信を行う送受信部１０が接続されており、またメモリ１１がデータのやり取りが可能となるように接続されている。さらに室外制御部８には、圧縮機４のモータ及び電子膨張弁５、室外ファン６のモータが接続され、それらの駆動を制御するようになっている。なお、１２は室外温度を測定する温度センサである。
【００１４】
また、室内制御部９には、室内ユニット３外に設けられたリモートコントローラ１３の操作設定部１４から送信される運転開始や運転終了の指令、使用者が設定した室温や風量、風向等の設定内容を受信する受信部１５と室温センサ１６が接続されており、またメモリ１７がデータのやり取りが可能となるように接続されている。
【００１５】
さらに室内制御部９には、室内ファン７のモータが接続され、それらの駆動を制御するようになっている。そして、室内制御部９にも、室外制御部８との間で制御信号の送受信を行う送受信部１８が接続されていて、リモートコントローラ１３により設定された内容が実行されるよう室外制御部８に送信される。なお、１９は設定内容や運転状況を表示する表示部である。
【００１６】
そして、室外ユニット２と室内ユニット３の間では、圧縮機４の運転制御のために、室外ユニット２と室内ユニット３を設置して制御信号の送受信を行うことができるよう、設置した際に結線することによって両ユニット２，３の送受信部１０，１８が自動的に接続され、室外制御部８と室内制御部９の間で行われる以下に説明する運転制御を実行する設定がなされる。
【００１７】
すなわち、図２に示すように例えば最大運転周波数ｆｍａｘが８０Ｈｚで最小運転周波数ｆｍｉｎが２０Ｈｚの室内ユニット３を、内蔵データの最大運転周波数Ｆｍａｘが１１０Ｈｚで最小運転周波数Ｆｍｉｎが１０Ｈｚの室外ユニット２に接続すると、室外制御部８において、室内ユニット３の運転周波数の最大値と最小値が、室外ユニット２の運転周波数の最大値と最小値にそれぞれ相対的に対応したものとして記憶される。また、室内ユニット３の運転周波数の最大値と最小値から室内ユニット３の中心運転周波数ｆｃｅｎ．の５０Ｈｚが算出される。同時に算出された室内ユニット３の中心運転周波数の５０Ｈｚが、室外ユニット２の運転周波数の最大値と最小値から算出される室外ユニット２の中心運転周波数Ｆｃｅｎ．の６０Ｈｚに対応したものとして記憶される。
【００１８】
さらに、室外制御部８においては、室内ユニット３の室内周波数変動幅ｗ１（ｗ１＝ｆｃｅｎ．−ｆｍｉｎ）と室外ユニット２の室外周波数変動幅ｗ２（ｗ２＝Ｆｃｅｎ．−Ｆｍｉｎ）から、変動幅比Ｃ（Ｃ＝ｗ２／ｗ１）が算出される。これにより、室外制御部８では、室内ユニット３から指令された運転周波数がｆであるとすると、この運転周波数指令を上記の各算出値を基に実運転周波数Ｆｒｅｌに読替えて、圧縮機４の運転制御を実行する。指令運転周波数ｆの実運転周波数Ｆｒｅｌへの読替えは、
ｆ≦ｆｃｅｎ．の時、
Ｆｒｅｌ＝Ｆｃｅｎ．−（ｆｃｅｎ．−ｆ）×Ｃ
ｆ＞ｆｃｅｎ．の時、
Ｆｒｅｌ＝Ｆｃｅｎ．＋（ｆ−ｆｃｅｎ．）×Ｃ
として行われる。
【００１９】
この結果、例えば室内ユニット３からの指令運転周波数ｆが３０Ｈｚの場合には、室外ユニット２では室外制御部８で実運転周波数Ｆｒｅｌへの読替えが行われ、算出された実運転周波数Ｆｒｅｌの２６．６６Ｈｚにより圧縮機４の運転が行われる。なお、圧縮機４の運転周波数が連続的に変化するものでは、算出された値での運転が行われるが、圧縮機４の運転周波数がステップ状、例えば０．１Ｈｚきざみである場合には、四捨五入等の方法により実運転周波数Ｆｒｅｌを算出するなどし、２６．６Ｈｚを実運転周波数Ｆｒｅｌとして圧縮機４の運転が行われるようになっている。
【００２０】
また、室外制御部８及び室内制御部９で行われる運転制御は、図３に示すフローチャートにしたがって行われる。すなわち、リモートコントローラ１３に所望する温度を設定し、第１ステップＳ１１で空気調和機１の運転開始のスイッチを入れ、電源投入を行う。
【００２１】
続いて第２ステップＳ１２では、電源の投入で室外ユニット２と室内ユニット３とが電気的に接続され、室外制御部８への室内ユニット３の最大運転周波数ｆｍａｘの８０Ｈｚと最小運転周波数ｆｍｉｎの２０Ｈｚの読込みが行われる。さらに、これらの値と室外ユニット２の最大運転周波数Ｆｍａｘの１１０Ｈｚ、最小運転周波数Ｆｍｉｎの１０Ｈｚとから、上記のようにして室内ユニット３の中心運転周波数ｆｃｅｎ．、室外ユニット２の中心運転周波数Ｆｃｅｎ．と、変動幅比Ｃの演算を行い、演算を行った後、第３ステップＳ１３に進む。
【００２２】
第３ステップＳ１３では、圧縮機４への室内ユニット３側からの駆動指令が受信されたか否かの判断がなされる。駆動指令が受信された場合には第４ステップＳ１４に進み、指令運転周波数ｆの実運転周波数Ｆｒｅｌへの読替えを上記した読替えの順序を踏んで行う。例えば室内ユニット３からの指令運転周波数ｆが３０Ｈｚの場合には、読替えによって実運転周波数Ｆｒｅｌの２６．６Ｈｚを得る。
【００２３】
その後、第５ステップＳ１５に進み、圧縮機４の運転を開始するための駆動信号を出力する。そして、圧縮機４の運転を第４ステップＳ１４で算出した実運転周波数Ｆｒｅｌである２６．６Ｈｚで開始し、次の第６ステップＳ１６で運転終了指令の有無の判断がなされ、有りと判断されるまで圧縮機４の運転を継続する。なお、図示しないが、空気調和する部屋の温度が変わる等して室内制御部９からの指令運転周波数ｆが変わると、再び第４ステップＳ１４で新たな指令運転周波数ｆに対応する実運転周波数Ｆｒｅｌを読替えにより得、この新たな実運転周波数Ｆｒｅｌにより運転を続行する。
【００２４】
そして、空気調和機１の運転継続が不要となり、運転終了の操作がリモートコントローラ１３になされると、室内制御部９を介して運転終了の指令が室外制御部８に送信され、室外制御部８からの運転終了指令により第６ステップＳ１６で運転が終了する。
【００２５】
以上のように構成されているので、空気調和機１の運転の際に、室内ユニット３の最大運転周波数ｆｍａｘの８０Ｈｚと最小運転周波数ｆｍｉｎの２０Ｈｚの間で指令される指令運転周波数ｆに対し、圧縮機４の実運転周波数Ｆｒｅｌを最大運転周波数Ｆｍａｘの１１０Ｈｚと、最小運転周波数Ｆｍｉｎの１０Ｈｚの間の対応する運転周波数に連続的あるいは略連続的に読替えられることになり、圧縮機４の細かい運転制御を行うことができ、良好な室温コントロールを行うことができる。
【００２６】
また直接、指令運転周波数ｆで圧縮機４を運転しようとするものではないので、室内ユニット３の指令に対し室外ユニット２が能力的に不整合となってしまうような虞もなく、室外ユニット２に対して組合わせる室内ユニット３の選択も、特に適合性を厳しく考慮しなくてよくなるため、容易なものとなる。
【００２７】
次に、第２の実施形態を図４乃至図８により説明する。図４は概略構成を示す図であり、図５は室内ユニットの空調能力を示す馬力コードと能力ランクを示す図であり、図６は運転モード別の室内ユニットの馬力コードに対する室外ユニットの最大・最小運転周波数を示す図であり、図７は多室運転時における運転モード別の室外ユニットの最大・最小運転周波数を示す図であり、図８は運転制御のフローチャートである。
【００２８】
図４乃至図８において、２１は空気調和機であり、２２は屋外に設置された室外ユニットであり、また２３ａ，２３ｂは空気調和を行うＡ室、Ｂ室にそれぞれ設置された室内ユニットである。空気調和機２１はＡ室、Ｂ室を個々に、あるいは同時に空気調和するよう１つの室外ユニット２２に２つの室内ユニット２３ａ，２３ｂを接続して構成されている。
【００２９】
そして、空気調和機２１は、室外ユニット２２に設けられた圧縮機２４と図示しない室外熱交換器と、電子膨張弁２５、さらに接続された室内ユニット２３ａ，２３ｂに設けられた図示しない室内熱交換器とを、冷凍サイクルを形成するように接続し、冷媒の流通方向を切替えることによって室内ユニット２３ａ，２３ｂが設置された部屋の冷房運転と暖房運転とが行えるようになっている。なお、室外ユニット２２には室外熱交換器の熱交換を促進する室外ファン２６が設けられており、室内ユニット２３ａ，２３ｂには室内熱交換器の熱交換を促進する室内ファン２７が設けられている。
【００３０】
一方、室外ユニット２２、室内ユニット２３ａ，２３ｂには、冷凍サイクルの運転を行うために、それぞれに室外制御部２８と室内制御部２９ａ，２９ｂとが設けられている。そして、室外ユニット２２に設けられた室外制御部２８には、複数の接続端子３０Ｔを有する送受信部３０が接続されており、これらの接続端子３０Ｔの対応するものに接続された各室内ユニット２３ａ，２３ｂのそれぞれの室内制御部２９ａ，２９ｂと室外制御部２８とは、接続端子３０Ｔを介し制御信号の送受信を行うようになっている。さらに、室外制御部２８には、メモリ３１がデータのやり取りが可能となるように接続されており、またさらに室外制御部２８には圧縮機２４のモータ及び電子膨張弁２５、室外ファン２６のモータが接続され、それらの駆動を制御するようになっている。なお、３２は室外温度を測定する温度センサである。
【００３１】
また、室内制御部２９ａ，２９ｂには、室内ユニット２３ａ，２３ｂ外に設けられた対応するリモートコントローラ３３ａ，３３ｂの操作設定部３４ａ，３４ｂから送信される運転開始や運転終了の指令、使用者が設定した室温や風量、風向等の設定内容を受信する受信部３５ａ，３５ｂと室温センサ３６ａ，３６ｂが接続されており、またメモリ３７ａ，３７ｂがデータのやり取りが可能となるように接続されている。さらに室内制御部２９ａ，２９ｂには、室内ファン２７ａ，２７ｂのモータが接続され、それらの駆動を制御するようになっている。
【００３２】
そして、室内制御部２９ａ，２９ｂにも、室外制御部２８との間で制御信号の送受信を行う送受信部３８ａ，３８ｂが接続されていて、リモートコントローラ３３ａ，３３ｂにより設定された内容が実行されるよう室外制御部２８に送信される。なお、３９ａ，３９ｂは設定内容や運転状況を表示する表示部である。
【００３３】
そして、室外ユニット２２と室内ユニット２３ａ，２３ｂの間では、両者を設置し結線することにより、室外ユニット２２と室内ユニット２３ａ，２３ｂの送受信部３０，３８が自動的に接続され、室外制御部２８と室内制御部２９ａ，２９ｂの間では、圧縮機２４や室外ファン２６のモータや電子膨張弁等の運転制御を行う制御信号の送受信が行えるようになる。
【００３４】
また室外制御部２８で行われる運転制御は相対値制御で、これは接続された室内ユニットの室内制御部から指令された指令運転周波数ｆ（ｒ）を室外ユニット２２の運転周波数範囲に応じ、１室運転時には実運転周波数Ｆｒｅｌ（ｒ）、多室運転時にはＦｒｅｌ（ｎ）に読替え処理し、運転を行わせるものである。例えば室外ユニット２２に、図５に示す馬力コードｐの１つの値をそれぞれが持った最大運転周波数ｆｍａｘ（ｍ，ｒ）、最小運転周波数ｆｍｉｎ（ｍ，ｒ）の室内ユニット２３ａ，２３ｂを接続した場合は、次の通りとなる。なお、記号の説明については後述する。
【００３５】
室内ユニット２３ａ，２３ｂからの指令運転周波数ｆ（ａ），ｆ（ｂ）に対し、例えばＡ室のみの運転となる１室運転時には、図６に示された運転モードｍ、馬力コードｐ及び室外ユニット２２の運転周波数範囲を示す室内ユニット１台接続時の最大運転周波数Ｆｍａｘ（ｍ，ｐ）、最小運転周波数Ｆｍｉｎ（ｍ，ｐ）等から、後述する式において実運転周波数Ｆｒｅｌ（ａ）が算出され、圧縮機２４の運転が行われる。また２室運転時には、図６及び図７に示された運転モードｍ、馬力コードｐ及び室外ユニット２２の運転周波数範囲を示す室内ユニット多数台接続時の最大運転周波数Ｆｍａｘ（ｍ，ｎ）、最小運転周波数Ｆｍｉｎ（ｍ，ｎ）等から、同じく後述する式において実運転周波数Ｆｒｅｌ（２）が算出され、圧縮機２４の運転が行われる。
【００３６】
この時の読替え処理は、次の各式に基づいて算出されるものである。すなわち、
（１）１室運転時の実運転周波数Ｆｒｅｌ（ｒ）の算出は、
Ｆｒｅｌ（ｒ）＝〔{（Ｆｍａｘ（ｍ，ｐ）−Ｆｍｉｎ（ｍ，ｐ））×（ｆ（ｒ）−ｆｍｉｎ（ｍ，ｒ）}／（ｆｍａｘ（ｍ，ｒ）−ｆｍｉｎ（ｍ，ｒ））〕＋Ｆｍｉｎ（ｍ，ｐ）  ……《１》式
（２）多室運転時の実運転周波数Ｆｒｅｌ（ｎ）の算出は、
［ｉ］ΣＦｒｅｌ（ｒ）≧Ｆｍａｘ（ｍ，ｎ）で、Ｆｍａｘ（ｍ，ｎ）＞ΣＦｍｉｎ（ｍ，ｐ）の場合、
Ｆｒｅｌ（ｎ）＝Ｆｍａｘ（ｍ，ｎ）  ……《２》式
［ii］ΣＦｒｅｌ（ｒ）＜Ｆｍａｘ（ｍ，ｎ）で、Ｆｍａｘ（ｍ，ｎ）＞ΣＦｍｉｎ（ｍ，ｐ）の場合、
Ｆｒｅｌ（ｎ）＝{（α×α）／（Ｆｍａｘ（ｍ，ｎ）−Ｆｍｉｎ（ｍ，ｎ））}＋Ｆｍｉｎ（ｍ，ｎ）  ……《３》式
但し  α＝{（Ｆｍａｘ（ｍ，ｎ）−Ｆｍｉｎ（ｍ，ｎ））×（ΣＦｒｅｌ（ｒ）−ΣＦｍｉｎ（ｍ，ｐ）}／（Ｆｍａｘ（ｍ，ｎ）−ΣＦｍｉｎ（ｍ，ｐ））  ……《４》式
［iii］Ｆｍａｘ（ｍ，ｎ）≦ΣＦｍｉｎ（ｍ，ｐ）の場合、
Ｆｒｅｌ（ｎ）＝Ｆｍａｘ（ｍ，ｎ）  ……《５》式
で算出される。
【００３７】
また、上記各式等で用いる記号は、
ｆ（ｒ）：室内ユニットから指令される指令運転周波数
ｆｍａｘ（ｍ，ｒ）：室内ユニットの最大運転周波数
ｆｍｉｎ（ｍ，ｒ）：室内ユニットの最小運転周波数
Ｆｍａｘ（ｍ，ｐ）：室内ユニット１台接続時の馬力コードに対する室外ユニットの最大運転周波数
Ｆｍｉｎ（ｍ，ｐ）：室内ユニット１台接続時の馬力コードに対する室外ユニットの最小運転周波数
Ｆｍａｘ（ｍ，ｎ）：室内ユニット多数台接続時の室外ユニットの最大運転周波数
Ｆｍｉｎ（ｍ，ｎ）：室内ユニット多数台接続時の室外ユニットの最小運転周波数
Ｆｒｅｌ（ｒ）：室内ユニット１台接続時の実運転周波数
Ｆｒｅｌ（ｎ）：室内ユニット多数台接続時の実運転周波数
ｍ：運転モード      冷房運転モード…ｃ、暖房運転モード…ｈ
ｒ：空気調和する部屋    Ａ室…ａ、Ｂ室…ｂ、Ｃ室…ｃ、…
ｐ：空調能力を示す馬力コード      ０〜Ｆ
ｎ：空気調和する部屋数    ２、３、４、…
の通りである。
【００３８】
そして、室外制御部２８での運転制御のフローチャートは、図８に示す通りである。先ず第１ステップＳ２１で運転開始のスイッチを入れ、電源投入を行う。続く第２ステップＳ２２では、電源の投入で室外ユニット２２と、これに接続された室内ユニットとが電気的に接続され、室内ユニットから室外制御部２８に送信された室内ユニットの最大運転周波数ｆｍａｘ（ｍ，ｒ）、最小運転周波数ｆｍｉｎ（ｍ，ｒ）、運転モードｍ、馬力コードｐ及び室外ユニット２２の運転周波数範囲の読込みが行われる。
【００３９】
次に第３ステップＳ２３では、圧縮機２４への室内ユニット側からの指令運転周波数ｆ（ｒ）あるいはｆ（ｎ）の駆動指令が受信されたか否かの判断がなされる。駆動指令が受信された場合には第４ステップＳ２４に進み、指令運転周波数ｆ（ｒ）あるいはｆ（ｎ）の実運転周波数Ｆｒｅｌ（ｒ）あるいはＦｒｅｌ（ｎ）への読替え処理を上記した各式により行う。
【００４０】
その後、第５ステップＳ２５に進み、圧縮機２４の運転を開始するための駆動信号を出力する。そして、圧縮機２４の運転を第４ステップＳ２４で算出した実運転周波数Ｆｒｅｌ（ｒ）あるいはＦｒｅｌ（ｎ）で開始し、次の第６ステップＳ２６で運転終了指令の有無の判断がなされ、有りと判断されるまで圧縮機２４の運転を継続する。なお、図示しないが、空気調和する部屋の温度が変わる等して室内制御部からの指令運転周波数ｆ（ｒ）あるいはｆ（ｎ）が変わると、再び第４ステップＳ２４で新たな指令運転周波数ｆ（ｒ）あるいはｆ（ｎ）に対応する実運転周波数Ｆｒｅｌ（ｒ）あるいはＦｒｅｌ（ｎ）を読替えにより得、この新たな実運転周波数Ｆｒｅｌ（ｒ）あるいはＦｒｅｌ（ｎ）により運転を続行する。
【００４１】
そして、運転継続が不要となった時点で、室内制御部から運転終了の指令が室外制御部２８に送信され、室外制御部２８からの運転終了指令により第６ステップＳ２６で運転が終了する。
【００４２】
また、具体的には、このような運転制御を行う室外制御部２８を有する室外ユニット２２に接続されている室内ユニット２３ａ，２３ｂが、例えばＡ室に設置された室内ユニット２３ａについては馬力コードが２で、能力ランクが０．７５ＨＰとなっている最大運転周波数ｆｍａｘ（ｍ，ｒ）が１００Ｈｚで、最小運転周波数ｆｍｉｎ（ｍ，ｒ）が１５Ｈｚのものであるとする。また、Ｂ室に設置された室内ユニット２３ｂについては馬力コードが５で、能力ランクが１．５ＨＰとなっている最大運転周波数ｆｍａｘ（ｍ，ｒ）が１２０Ｈｚで、最小運転周波数ｆｍｉｎ（ｍ，ｒ）が１０Ｈｚのものであるとする。
【００４３】
そして、Ａ室の１部屋のみの冷房運転を行う時には、Ａ室に設置した室内ユニット２３ａのリモートコントローラ３３ａの操作設定部３４ａを第１のステップＳ２１として操作し電源を入れる。これにより第２のステップＳ２２で、室外ユニット２２と室内ユニット２３ａを接続することで室内制御部２９ａから室外制御部２８に送信された室内ユニット２３ａの運転モードｍの冷房運転モードｃ最大運転周波数ｆｍａｘ（ｍ，ａ）の１００Ｈｚ、最小運転周波数ｆｍｉｎ（ｍ，ａ）の１５Ｈｚ、馬力コードｐの２が読込まれ、さらに読込んだ馬力コードに基づいて、馬力コードｐの２に対する室外ユニット２２の運転周波数範囲である１台接続時の室外ユニット２２の最大運転周波数Ｆｍａｘ（ｍ，２）の５０Ｈｚ、最小運転周波数Ｆｍｉｎ（ｍ，２）の１０Ｈｚの各値がメモリ３１より読み込まれる。
【００４４】
続いて、第３のステップＳ２３に進み、操作設定部３４ａへの設定温度と室温センサ３６ａの検出した室温とから指令運転周波数ｆ（ａ）の４０Ｈｚが室内制御部２９ａで算出され、室内ユニット２３ａから指令運転周波数ｆ（ａ）の４０Ｈｚでの駆動指令が室外制御部２８に送信される。
【００４５】
その後、第４のステップＳ２４で室外制御部２８における読替え処理が行われ、実運転周波数Ｆｒｅｌ（ａ）が算出される。これは上記の《１》式に各値を代入し、
Ｆｒｅｌ（ａ）＝〔{（５０）−（１０）×（４０−１５）}／（１００−１５）〕＋１０
＝２１．７６
となり、四捨五入の処理を経て実運転周波数Ｆｒｅｌ（ａ）は２１．８Ｈｚが指令運転周波数ｆ（ａ）の４０Ｈｚに対応する周波数として読替えられる。
【００４６】
続く第５のステップＳ２５では、駆動信号が出力され、読替えられた実運転周波数Ｆｒｅｌ（ａ）の２１．８Ｈｚで圧縮機２４が運転を開始し、第６のステップＳ２６で運転終了指令があるまで運転は継続され、室内ユニット２３ａによるＡ室での冷房運転が設定温度となるよう行われる。
【００４７】
一方、Ａ室とＢ室の２部屋の冷房運転を行う時には、Ａ室に設置した室内ユニット２３ａのリモートコントローラ３３ａの操作設定部３４ａを、またＢ室に設置した室内ユニット２３ｂのリモートコントローラ３３ｂの操作設定部３４ｂを第１のステップＳ２１として操作し電源を入れる。
【００４８】
これにより第２のステップＳ２２で、室外ユニット２２と室内ユニット２３ａ，２３ｂを接続することで各室内制御部２９ａ，２９ｂから室外制御部２８に送信された室内ユニット２３ａの最大運転周波数ｆｍａｘ（ｍ，ａ）の１００Ｈｚ、最小運転周波数ｆｍｉｎ（ｍ，ａ）の１５Ｈｚ、馬力コードｐの２、さらに馬力コードｐの２に対する室外ユニット２２の運転周波数範囲である１台接続時の室外ユニット２２の最大運転周波数Ｆｍａｘ（ｍ，２）の５０Ｈｚ、最小運転周波数Ｆｍｉｎ（ｍ，２）の１０Ｈｚの各値と、室内ユニット２３ｂの最大運転周波数ｆｍａｘ（ｍ，ｂ）の１２０Ｈｚ、最小運転周波数ｆｍｉｎ（ｍ，ｂ）の１０Ｈｚ、馬力コードｐの５、さらに馬力コードｐの５に対する室外ユニット２２の運転周波数範囲である１台接続時の室外ユニット２２の最大運転周波数Ｆｍａｘ（ｍ，５）の６０Ｈｚ、最小運転周波数Ｆｍｉｎ（ｍ，５）の１０Ｈｚの各値と、運転モードｍの冷房運転モードｃが読み込まれる。
【００４９】
続いて、第３のステップＳ２３に進み、各操作設定部３４ａ，３４ｂへの設定温度と室温センサ３６ａ，３６ｂの検出した室温とから指令運転周波数ｆ（ａ）の３０Ｈｚと、ｆ（ｂ）の５０Ｈｚが室内制御部２９ａ，２９ｂで算出され、室内ユニット２３ａ，２３ｂから指令運転周波数ｆ（ａ）の３０Ｈｚと、ｆ（ｂ）の５０Ｈｚでの駆動指令が室外制御部２８に送信される。
【００５０】
その後、第４のステップＳ２４で室外制御部２８における読替え処理が行われ、実運転周波数Ｆｒｅｌ（２）が算出される。これは、先ず上記の《１》式に室内ユニット２３ａ，２３ｂの各値を代入し、室内ユニット２３ａを１台接続した際のＦｒｅｌ（ａ）と、室内ユニット２３ｂを１台接続した際のＦｒｅｌ（ｂ）をそれぞれ算出する。すなわち、
Ｆｒｅｌ（ａ）＝〔{（５０−１０）×（３０−１５）}／（１００−１５）〕＋１０
＝１７．０６
Ｆｒｅｌ（ｂ）＝〔{（６０−１０）×（５０−１５）}／（１２０−１０）〕＋１０
＝２５．９
を得る。
【００５１】
さらに、室内ユニット２２での換算用変数αを、上記の《４》式に室内ユニット多数台接続時の室外ユニットの最大運転周波数Ｆｍａｘ（ｃ，２）、最小運転周波数Ｆｍｉｎ（ｃ，２）、上記算出値、室内ユニット２３ａ，２３ｂの各値を代入し、求める。
α＝{（９５−１５）×（（１７．０６＋２５．９）−（１０＋１０））}／（９５−（１０＋１０））
＝１８３６．８／７５＝２４．４９
となる。
【００５２】
この求められた換算用変数αと各値を上記の《３》式に代入し、実運転周波数Ｆｒｅｌ（２）を求める。すなわち、
0004170560.tif 000002
となり、四捨五入の処理を経て実運転周波数Ｆｒｅｌ（２）は２２．５Ｈｚが、室内ユニット２３ａの指令運転周波数ｆ（ａ）の３０Ｈｚ、及び室内ユニット２３ｂの指令運転周波数ｆ（ｂ）の５０Ｈｚに対応する周波数として読替えられる。
【００５３】
続く第５のステップＳ２５では、駆動信号が出力され、読替えられた実運転周波数Ｆｒｅｌ（２）の２２．５Ｈｚで圧縮機２４が運転を開始し、第６のステップＳ２６で運転終了指令があるまで運転は継続され、室内ユニット２３ａによるＡ室での冷房運転、及び室内ユニット２３ｂによるＢ室での冷房運転が設定温度となるよう行われる。
【００５４】
なお、（Ｆｒｅｌ（ａ）＋Ｆｒｅｌ（ｂ））≧９５となる場合は、《２》式から、実運転周波数Ｆｒｅｌ（２）を９５Ｈｚとして圧縮機２４の運転が行われる。
【００５５】
以上のように構成されているので、空気調和機２１を異なる能力の室内ユニット２３ａ，２３ｂを室外ユニット２２に接続しても、不整合となってしまうような虞もなく、自由に組合わせることができる。また、空気調和機２１の運転の際に、室内ユニット２３ａ，２３ｂから指令される指令運転周波数ｆ（ａ），ｆ（ｂ）に対し、実運転周波数Ｆｒｅｌ（ａ），Ｆ（ｂ）を圧縮機２４の能力範囲内で適正に振り分けるようにして連続的に読替えられることになり、圧縮機２４の細かい運転制御を行うことができ、良好な室温コントロールを行うことができる。さらに室外ユニット２２と室内ユニット２３ａ，２３ｂの組合せについても、特に適合性を厳しく考慮しなくてよく、容易に行える。
【００５６】
【発明の効果】
以上の説明から明らかなように、本発明によれば、室内ユニットと室外ユニットとを、両ユニットの能力等の適合性を特に考慮することなく組合わせても、不整合となることもなく、組合わせが容易で、また圧縮機を細かく運転制御することができて良好な室温コントロールを実現することができる等の効果を奏する。
【図面の簡単な説明】
【図１】本発明の第１の実施形態の概略構成を示す図である。
【図２】本発明の第１の実施形態における室内ユニットと室外ユニット間における運転周波数の読替えを説明するために示す図である。
【図３】本発明の第１の実施形態における運転制御のフローチャートである。
【図４】本発明の第２の実施形態の概略構成を示す図である。
【図５】本発明の第２の実施形態に係る室内ユニットの空調能力を示す馬力コードと能力ランクを示す図である。
【図６】本発明の第２の実施形態に係る運転モード別の室内ユニットの馬力コードに対する室外ユニットの最大・最小運転周波数を示す図である。
【図７】本発明の第２の実施形態に係る多室運転時における運転モード別の室外ユニットの最大・最小運転周波数を示す図である。
【図８】本発明の第２の実施形態における運転制御のフローチャートである。
【符号の説明】
２…室外ユニット
３…室内ユニット
４…圧縮機
８…室外制御部
９…室内制御部
【図１】
0004170560.tif 000003
【図２】
0004170560.tif 000004
【図３】
0004170560.tif 000005
【図４】
0004170560.tif 000006
【図５】
0004170560.tif 000007
【図６】
0004170560.tif 000008
【図７】
0004170560.tif 000009
【図８】
0004170560.tif 000010